(57)【要約】【課題】鍵のがたつきと装置の大型化とを抑制しつつ、鍵の後方を覆う上パネルを強固に支持できる電子鍵盤楽器を提供すること。【解決手段】鍵３の後方を覆う上パネル４は、シャーシ上壁２１から鍵３の貫通穴３２ａを通過して上パネル４側に延びる後方ガイド２５によって支持されている。即ち、後方ガイド２５は、鍵３が、がたつくのを抑制する機能と、上パネル４を支持する機能とを兼用している。よって、かかる機能を有する部材を別々に設けるよりも、上パネル４を支持する位置の自由度が向上する。従って、鍵３が、がたつくのを抑制しつつ、上パネル４が撓み難い位置で上パネル４を後方ガイド２５で支持できるし、装置が大型化するのを抑制できる。【選択図】図１
2016018055.tif 000002
【特許請求の範囲】
【請求項１】
回動軸を中心に回動する鍵と、その鍵の後方を上方から覆う上パネルとを備えた電子鍵盤楽器において、
前記上パネルとの間に前記鍵の後方を挟んだ位置に配設されるシャーシと、
前記鍵の後方を貫通して前記シャーシ側と前記上パネル側とに通じる貫通穴と、
前記シャーシから前記貫通穴を通過して前記上パネル側に延び、前記上パネルを支持する後方ガイドとを備えていることを特徴とする電子鍵盤楽器。
【請求項２】
前記鍵は、幅方向に複数並べられ、
前記後方ガイドは、ガイド本体と、そのガイド本体が前記貫通穴を通過する位置に前記ガイド本体から前記幅方向に延びるブラケットとを備えていることを特徴とする請求項１に記載の電子鍵盤楽器。
【請求項３】
前記シャーシは、前記複数の鍵の各々を回動可能に軸支する複数の回動軸を備え、
前記後方ガイドは、前記複数の鍵の各々について複数設けられ、
前記複数の回動軸と、前記複数の後方ガイドとは、前記シャーシと一体に構成されていることを特徴とする請求項１又は２に記載の電子鍵盤楽器。
【請求項４】
前記鍵は、上壁と、その上壁の長手方向両縁から垂下する一対の側壁とを備え、
前記後方ガイドを前記回動軸との間に挟んだ位置において前記鍵の下方から前記一対の側壁の間に延びる前方ガイドを備えていることを特徴とする請求項１から３のいずれかに記載の電子鍵盤楽器。
【請求項５】
前記上パネルから垂下する支柱を備え、
前記後方ガイドの先端は、前記支柱の先端に当接していることを特徴とする請求項１から４のいずれかに記載の電子鍵盤楽器。
【請求項６】
前記上パネルから垂下する支柱と、
上面が前記支柱の先端と当接し、上面の反対の下面が前記後方ガイドの先端と当接する弾性部材と備え、
前記後方ガイドの先端は、前記弾性部材の下面うち前記支柱の先端と重畳する位置に当接していることを特徴とする請求項１から４のいずれかに記載の電子鍵盤楽器。
【発明の詳細な説明】
【技術分野】
【０００１】
本発明は、電子鍵盤楽器に関し、特に、鍵のがたつきと装置の大型化とを抑制しつつ、鍵の後方を覆う上パネルを強固に支持できる電子鍵盤楽器に関する。
【背景技術】
【０００２】
次の特許文献１には、鍵の後方がパネル３に覆われている電子鍵盤楽器が記載されている。かかる電子鍵盤楽器では、パネル３に覆われている鍵の後方に支点部１１ａと、共通基端部１１ｂとが設けられており、支点部１１ａで鍵の横揺れが規制され、共通基端部１１ｂの位置でパネル３が支持されている。
【先行技術文献】
【特許文献】
【０００３】
【特許文献１】特開平１０−２４０２５４号公報（段落００１９参照）
【発明の概要】
【発明が解決しようとする課題】
【０００４】
しかしながら、特許文献１に記載されている電子鍵盤楽器では、支点部１１ａと、共通基端部１１ｂとが装置の奥行き方向に並んで配置されている。そのため、装置が奥行き方向に大型化するという問題点があった。
【０００５】
また、共通基端部１１ｂを配置する位置、即ち、パネル３を支持する位置が、鍵の横揺れを規制する支点部１１ａによって制約される。そのため、任意の位置でパネル３を支持できず、パネル３を強固に支持できないという問題点があった。
【０００６】
本発明は、電子鍵盤楽器に関し、特に、鍵のがたつきと装置の大型化とを抑制しつつ、鍵の後方を覆う上パネルを強固に支持できる電子鍵盤楽器を提供することを目的とする。
【課題を解決するための手段および発明の効果】
【０００７】
請求項１記載の電子鍵盤楽器によれば、次の効果を奏する。シャーシが上パネルとの間に鍵の後方を挟んだ位置に配設されている。鍵の後方には、シャーシ側と上パネル側とに通じる貫通穴が貫通している。後方ガイドは、シャーシから貫通穴を通過して上パネル側に延びている。そのため、後方ガイドによって鍵のがたつきを抑制できる。また、上パネルは、後方ガイドによって支持されている。即ち、後方ガイドは、鍵のがたつきを抑制する機能と、上パネルを支持する機能とを兼用している。よって、かかる２つの機能を有する部材を別々に設ける場合よりも、上パネルを支持する位置の自由度が向上する。従って、上パネルが撓み難い位置で上パネルを支持できるし、装置が大型化するのを抑制できる。結果、鍵のがたつきと装置の大型化とを抑制しつつ、鍵の後方を覆う上パネルを強固に支持できるという効果がある。
【０００８】
請求項２記載の電子鍵盤楽器によれば、請求項１記載の電子鍵盤楽器が奏する効果に加え、次の効果を奏する。複数の鍵が並べられる方向を幅方向とする。後方ガイドは、ガイド本体が貫通穴を通過する位置に、ガイド本体から幅方向にブラケットが延びている。よって、幅方向において鍵と後方ガイドとの隙間を小さくできる。従って、特に、鍵が幅方向へがたつくのを抑制できるという効果がある。
【０００９】
請求項３記載の電子鍵盤楽器によれば、請求項１又は２に記載の電子鍵盤楽器が奏する効果に加え、次の効果を奏する。複数の鍵の各々を回動可能に軸支する回動軸と、複数の鍵の各々について設けられている後方ガイドとは、シャーシと一体に構成されている。よって、回動軸と、後方ガイドとの位置ずれが発生せず、鍵の回動不良が発生するのを防止できる。また、隣合う鍵を精度よく配置でき、鍵同士が衝突するのを防止できるという効果がある。
【００１０】
請求項４記載の電子鍵盤楽器によれば、請求項１から３のいずれかに記載の電子鍵盤楽器が奏する効果に加え、次の効果を奏する。鍵は、上壁と、その上壁の長手方向両縁から垂下する一対の側壁とを備えている。一対の側壁の間には前方ガイドが介在し、前方ガイドは、後方ガイドを回動軸との間に挟んだ位置に設けられている。よって、後方ガイドを回動軸との間に挟んだ位置においても前方ガイドによって鍵のがたつきを抑制できる。また、鍵のがたつきによって回動軸に軸支されている部分にストレスが加わり、かかる部分が異音を発生したり、かかる部分が変形したりするのを防止できるという効果がある。
【００１１】
請求項５記載の電子鍵盤楽器によれば、請求項１から４のいずれかに記載の電子鍵盤楽器が奏する効果に加え、次の効果を奏する。後方ガイドの先端は、上パネルから垂下する支柱の先端に当接している。即ち、上パネルは、支柱を介して後方ガイドに支持されている。よって、シャーシから上パネル側に延ばす後方ガイドの長さを短くできる。従って、後方ガイドの剛性を向上できるという効果がある。
【００１２】
請求項６記載の電子鍵盤楽器によれば、請求項１から４のいずれかに記載の電子鍵盤楽器が奏する効果に加え、次の効果を奏する。弾性部材の上面には支柱の先端が当接し、弾性部材の下面には後方ガイドの先端が当接している。後方ガイドの先端は、弾性部材の下面うち支柱の先端と重畳する位置に当接している。よって、シャーシから上パネル側に延ばす後方ガイドの長さを短くできる。従って、後方ガイドの剛性を向上できるという効果がある。また、鍵が後方ガイドに衝突して、その衝突によって後方ガイドが振動しても、その振動を弾性部材で吸収できる。従って、かかる振動によって異音が発生するのを防止できるという効果がある。
【図面の簡単な説明】
【００１３】
【図１】（ａ）は、電子鍵盤楽器の平面図である。（ｂ）は、（ａ）に示すＩｂ−Ｉｂ断面線における電子鍵盤楽器の断面図である。
【図２】図１（ｂ）のＩＩ−ＩＩ断面線における後方ガイドの部分断面図である。
【図３】（ａ１）は、シャーシ本体に固定されている本実施形態のベース部材の側面図であり、（ａ２）は、（ａ１）に示す矢印ＩＩＩａ２方向視における電子鍵盤楽器の底面図である。（ｂ１）は、本実施形態とは異なる向きでシャーシ本体に固定されているベース部材の側面図であり、（ｂ２）は、（ｂ１）に示す矢印ＩＩＩｂ２方向視における電子鍵盤楽器の底面図である。
【図４】（ａ）は、横揺れ規制部を備えた本実施形態のハンマの平面図である。（ｂ）は、横揺れ規制部５２を備えていないハンマの平面図である。
【図５】（ａ）〜（ｃ）は、それぞれ図２に相当する図であって、後方ガイドによって上パネルを支持する方法の第１変形例〜第３変形例を説明するための部分断面図である。
【図６】（ａ）〜（ｃ）は、それぞれ図２に相当する図であって、後方ガイドによって上パネルを支持する方法の第４変形例〜第６変形例を説明するための部分断面図である。
【発明を実施するための形態】
【００１４】
以下、本発明の好ましい実施形態について、添付図面を参照して説明する。図１（ａ）は、電子鍵盤楽器の平面図である。図１（ｂ）は、図１（ａ）に示すＩｂ−Ｉｂ断面線における電子鍵盤楽器の断面図である。尚、本実施形態では、複数の鍵３が並ぶ方向を幅方向Ｗ、鍵３の長手方向を奥行き方向Ｄと称す。また、図１（ａ）では、鍵３は、黒鍵５本、白鍵７本の合計１２鍵分だけを図示し、その他の図示は省略してある。
【００１５】
電子鍵盤楽器１は、鍵３の操作に応じて図示しない電子回路から出力される信号で楽音を発生するものであり、特に、鍵の幅方向Ｗへのがたつきと装置の大型化とを抑制しつつ、鍵の後方を覆う上パネル４を強固に支持できるものである。電子鍵盤楽器１としては、例えば、電子ピアノ、電子オルガン、電子キーボード、シンセサイザなどが例示される。
【００１６】
電子鍵盤楽器１は、主に、シャーシ２と、シャーシ２に回動自在に軸支される鍵３と、鍵３の後方を覆う上パネル４と、鍵３の押鍵、離鍵に連動して回動するハンマ５とよって構成されている。尚、図１（ａ）では、上パネル４は、一部だけを図示している。
【００１７】
シャーシ２は、電子鍵盤楽器１の骨格を形成するものであり、樹脂材料により所定の幅単位のブロックで形成されている。シャーシ本体２０の複数のブロック体と、シャーシ本体２０の上方に形成されるシャーシ上壁２１と、シャーシ本体２０の底方に形成されるシャーシ底壁２２ａ〜２２ｃとによって構成されている。
【００１８】
シャーシ本体２０は、鍵３の下方において隣合う鍵３（隣合うハンマ５）の間に形成されている。シャーシ上壁２１は、鍵３の後方を上パネル４との間に挟むに位置に形成されている。シャーシ上壁２１には、鍵３の後方から鍵回動軸２４と、後方ガイド２５とが奥行き方向Ｄに並んで設けられている。
【００１９】
鍵回動軸２４は、鍵３を回動可能に軸支するものであり、鍵３毎に形成されている。ここで、鍵３は、上壁３２と、上壁３２の奥行き方向Ｄに延びる両縁から垂下する一対の側壁３３と、上壁３２の前端から垂下する前壁３４とによって、底側が開放された断面略コ字状に形成されている。また、側壁３３の後方には、フック部３５が連設されている。鍵回動軸２４には、鍵３のフック部３５が引っ掛けられている。鍵３は、フック部３５を介して鍵回動軸２４に軸支され、鍵回動軸２４を中心に回動する。
【００２０】
後方ガイド２５は、鍵３の幅方向Ｗのがたつきを抑制すると共に、上パネル４を支持するものであり、鍵３毎に設けられている。後方ガイド２５は、シャーシ上壁２１から上パネル４側に延びている。シャーシ上壁２１の上方には、鍵３の上壁３２が位置しているが、鍵３の上壁３２には貫通穴３２ａが貫通している。後方ガイド２５は、貫通穴３２ａを通過して上パネル４側に延びている。そのため、後方ガイド２５によって鍵３が、がたつくのを抑制できる。
【００２１】
また、鍵３毎の鍵回動軸２４と、鍵３毎の後方ガイド２５とは、シャーシ本体２０のブロック単位でシャーシ上壁２１と一体に構成されている。そのため、鍵回動軸２４と、後方ガイド２５との位置ずれが発生せず、鍵３の回動不良が発生するのを防止できる。また、隣合う鍵３各々の距離を精度よく配置でき、鍵３同士が衝突するのを防止できる。
【００２２】
後方ガイド２５の先端は、上パネル４から基板６を貫通して垂下する支柱４１の先端と当接している。換言すれば、後方ガイド２５は、支柱４１を介して上パネル４を支持している。尚、基板６には、上パネル４に設けられる各種スイッチや、液晶パネルと接続される電子回路が搭載されている。上パネル４からは、奥行き方向Ｄに支柱４１を挟んで内部に雌ねじが形成されている円柱型のボス４２が垂下している。基板６は、ボス４２を介して上パネル４にビス止めされている。ここで、図２を参照して、後方ガイド２５について詳細に説明する。
【００２３】
図２は、図１（ｂ）のＩＩ−ＩＩ断面線における後方ガイド２５の断面図である。尚、図２では、後方ガイド２５の外形の理解を容易するため、後方ガイド２５と支柱４１は、その一部を断面視している。
【００２４】
後方ガイド２５は、円柱状のガイド本体２５ａと、ガイド本体２５ａから幅方向Ｗの両方に延びる第１ブラケット２５ｂと、ガイド本体２５ａから奥行き方向Ｄ（図１（ｂ）参照）の両方に延びる第２ブラケット２５ｃとによって構成されている。
【００２５】
後方ガイド２５には、ガイド本体２５ａに第１ブラケット２５ｂが設けられているので、側壁３３の内面と第１ブラケット２５ｂとの隙間が、側壁３３の内面とガイド本体２５ａとの間隔よりも小さくなっているので、第１ブラケット２５ｂによって、鍵３の幅方向Ｗのがたつきを抑制できる。また、貫通穴３２ａの幅方向Ｗの長さは、一対の側壁３３の内面間の長さと等しく形成されている。そのため、側壁３３の内面と第１ブラケット２５ｂとの隙間が所定距離に渡って高さ方向（図２の上下方向）に延び、より確実に鍵３の幅方向Ｗのがたつきを抑制できる。更に、後方ガイド２５は、第１，第２ブラケット２５ｂ，２５ｃによって剛性が高められている。尚、後方ガイド２５と、側壁３３の内面との間には、グリスなどの潤滑油が塗布され、鍵３が貫通穴３２ａに沿って摺動し易くなっている。
【００２６】
支柱４１は、上パネル４から基板６を貫通して下方に延びる円柱状の支柱本体４１ａと、支柱本体４１ａから幅方向Ｗの両方と、奥行き方向Ｄの両方とに延びるブラケット４１ｃとによって構成されている。支柱４１には、ブラケット４１ｃが設けられているので剛性が高められている。
【００２７】
支柱４１は、支柱本体４１ａの端面が後方ガイド２５の端面と当接している。即ち、後方ガイド２５は、支柱４１を介して上パネル４を支持している。支柱４１を設けず、後方ガイド２５を上パネル４まで延ばし、直接、後方ガイド２５で上パネル４を支持することも可能である。しかし、この場合は、後方ガイド２５が長くなり剛性が低下する。また、後方ガイド２５を、鍵３と基板６との両方を貫通させる必要があり、位置合わせが困難になる。
【００２８】
これに対し、本実施形態では、後方ガイド２５は、支柱４１（支柱本体４１ａの端面）に当接し、支柱４１を介して上パネル４を支持している。よって、後方ガイド２５の長さを短くでき、後方ガイド２５の剛性を確保し易い。また、鍵３と基板６との両方を貫通させる必要がないので、位置合わせも容易である。
【００２９】
このように、後方ガイド２５は、鍵３が幅方向Ｗにがたつくのを抑制する機能と、上パネル４を支持する機能とを兼用している。よって、かかる機能を有する部材を別々に設ける場合よりも、上パネル４を支持する位置の自由度が向上する。従って、鍵３が幅方向Ｗにがたつくのを抑制しつつ、上パネル４が撓み難い位置で上パネル４を後方ガイド２５で支持できるし、装置が大型化するのを抑制できる。尚、後方ガイド２５は後述する前方ガイド１１と同様に、ゴムやエラストマーなどの弾性部材からなるカバーで被覆してもよい。
【００３０】
図１に戻り説明を続ける。シャーシ底壁２２ａ〜２２ｃには、その下方に断面視コの字型に形成された金属製のベース部材７〜９が固定されている。シャーシ２は、ベース部材７〜９によって剛性が高められている。また、ベース部材８とベース部材９とは、同じ部品によって構成されているので、部品点数を削減できる。更に、ベース部材８と、ベース部材９とは、互いに背中合わせで固定されている。その理由を、図３を参照して説明する。
【００３１】
図３（ａ１）、（ａ２）は、本実施形態を示し、ベース部材８とベース部材９とを、互いに背中合わせで固定した状態を示している。図３（ａ１）は、シャーシ本体２０と、ベース部材８，９との側面図、図３（ａ２）は、図３（ａ１）に示す矢印ＩＩＩａ２方向視における電子鍵盤楽器１の底面図である。
【００３２】
図３（ｂ１）、（ｂ２）は、図３（ａ１）、（ａ２）に示すベース部材８を反対向きに固定した状態を示している。図３（ｂ１）は、シャーシ本体２０と、ベース部材８，９との側面図、図３（ｂ２）は、図３（ｂ１）に示す矢印ＩＩＩｂ２方向視における電子鍵盤楽器１の底面図である。
【００３３】
ベース部材８とベース部材９とは、複数のシャーシ本体２０を連結し、シャーシ２の剛性を高めるべく、電子鍵盤楽器鍵１の幅方向Ｗの全長に渡って長尺に形成されている。そのため、ベース部材８とベース部材９とは、プレス加工時に、一定方向に湾曲して成形されることがある。そのため、湾曲して成形されたベース部材８，９を、図３（ｂ１）、（ｂ２）に示す通り、互いに同じ向きでシャーシ本体２０に固定すると、ベース部材８，９に倣って、シャーシ２全体が湾曲してしまうことがあった。即ち、シャーシ２の全体が水平線Ｈに対し後方（図３（ｂ２）の上方）に湾曲してしまうことがあった。
【００３４】
そこで、本実施形態では、図３（ａ１）、（ａ２）に示す通り、ベース部材８とベース部材９とは、互いに背中合わせで固定されている。これにより、ベース部材８とベース部材９とは、互いの湾曲を相殺するように作用する。よって、図３（ｂ１）、（ｂ２）のように、シャーシ２全体が湾曲してしまうのを防止できる。換言すれば、図３（ａ１）、（ａ２）に示す通り、シャーシ２の全体を水平線Ｈに対し並行にできる。
【００３５】
尚、図３（ａ１）、（ａ２）では、ベース部材８とベース部材９とを、互いに背中合わせで固定する場合について説明したが、それとは反対（即ち、断面視コの字型の開口側が互いに向き合うように）に固定しても良い。この場合でも、互いに背中合わせで固定する場合と同様な効果が得られる。
【００３６】
図１に戻り説明を続ける。シャーシ底壁２２ｃには、ベース部材９とは反対側に金属製の金物１０が固定されている。金物１０の前方（図１（ｂ）の右側）には、前方ガイド１１が設けられている。
【００３７】
前方ガイド１１は、鍵３が幅方向Ｗにがたつくのを抑制するものであり、鍵３の底方から、鍵３の両端から垂下された一対の側壁３３の間に延びている。そのため、鍵３が幅方向Ｗにがたつくのを抑制できる。また、前方ガイド１１は、ゴムやエラストマーなどの弾性部材からなるカバー１２で被覆されているので、鍵３の側壁３３と前方ガイド１１とが衝突した場合の衝撃を緩衝できる。また、カバー１２にはグリスなどの潤滑油が塗布され、鍵３との間で摺動し易くなっている。
【００３８】
更に、前方ガイド１１は、奥行き方向Ｄにおいて後方ガイド２５を鍵回動軸２４との間に挟んだ位置に設けられている。即ち、電子鍵盤楽器１は、鍵回動軸２４よりも前方において、後方ガイド２５と、前方ガイド１１との両方によって鍵３が幅方向Ｗにがたつくのが抑制されている。よって、鍵３が、がたつくことで、鍵回動軸２４に軸支されている鍵３のフック部３５に掛かるストレスが軽減され、鍵３のがたつきにより、鍵３のフック部３５が異音を発生したり、変形したりするのを防止できる。
【００３９】
前方ガイド１１が連設されている金物１０のフランジ部と、それとは反対側に位置する金物１０のフランジ部とには、クッション材１３ａ，１３ｂ、１３ｃが貼り付けられている。また、前方ガイド１１が連設されているのとは反対の金物１０の端部には、クッション材１３ｃが貼り付けられている。クッション材１３ａ、１３ｂ、１３ｃは、緩衝材または消音材として機能するものであり、フェルトや発泡ウレタンなどから構成されている。一方、鍵３の側壁３３には、側面視Ｌ字状のストッパ部材３７が形成されている。鍵３が押鍵されると鍵３の側壁３３がクッション材１３ｂ、１３ｃに衝突し、鍵３が離鍵されると鍵３のストッパ部材３７がクッション材１３ａに衝突する。そのため、クッション材１３ａ、１３ｂ、１３ｃによって、鍵３との衝撃を吸収できると共に、衝突した際に発生する音を小さくできる。
【００４０】
鍵３は、シャーシ本体２０の上方に配設され、樹脂材料で構成されている。鍵３の側壁３３の奥行き方向Ｄには、その中央部に略尖形形状の連結突起３６がハンマ５に向けて設けられている。連結突起３６は、鍵３とハンマ５とを連結（接触）するものである。即ち、鍵３は、押鍵時にはハンマ５の重量により所定のタッチ重さが付与され、離鍵時には、ハンマ５の重量により上方に持ち上げられている。
【００４１】
ハンマ５は、鍵３毎に幅方向Ｗへ列設され、樹脂材料内に金属部材がインサート成形された構造で構成されている。ハンマ５は、鍵３の押鍵または離鍵に連動して回動することによって、アコースティックピアノと同様のタッチ重さを付与するためのものである。ハンマ５は、主に、ハンマ本体５０と、軸受５１とによって構成されている。
【００４２】
ハンマ本体５０は、軸受５１を挟んで奥行き方向Ｄの両側に延びている部分である。軸受５１は、ハンマ本体５０に連設され、ハンマ回動軸２３に軸支される部分であり、断面視Ｃ型に形成されている。ハンマ回動軸２３は、ハンマ５を軸支するものであり、シャーシ本体２０のサブシャーシ２０ａから突設されている。ハンマ５の軸受５１は、ハンマ回動軸２３に嵌め込まれ、ハンマ５はハンマ回動軸２３を中心に回動する。また、ハンマ本体５０には、軸受５１の前方（図１（ｂ）の右方）に横揺れ規制部５２が設けられている。ここで、図４を参照して、横揺れ規制部５２について説明する。
【００４３】
図４（ａ）は、横揺れ規制部５２を備えた本実施形態のハンマ５の平面図である。図４（ｂ）は、横揺れ規制部５２を備えていないハンマ５の平面図である。
【００４４】
図４（ａ）に示す通り、横揺れ規制部５２は、ハンマ５の長手方向（奥行き方向Ｄ）の中心線Ｓを跨いで軸受５１の前方（図４の上方）の一部に設けられている。ハンマ５の軸受５１と、横揺れ規制部５２とは、ハンマ本体５０よりも肉厚な肉厚Ｗｈで構成されている。ハンマ５の軸受５１は、間隔Ｗｃを空けて対向するサブシャーシ２０ａの間に橋渡しされているハンマ回動軸２３に嵌められている（図１（ｂ）参照）。軸受５１と横揺れ規制部５２とは、対向するサブシャーシ２０ａの内面の間に位置し、サブシャーシ２０ａの内面と摺動しながらハンマ回動軸２３を中心に回動する。尚、軸受５１とサブシャーシ２０ａの内面との間、横揺れ規制部５２とサブシャーシ２０ａの内面との間には、グリスなどの潤滑油を塗布され、摺動し易くなっている。
【００４５】
このように、横揺れ規制部５２が設けられている場合は、図４（ｂ）に示すように、横揺れ規制部５２が設けられていない場合に比べて、横揺れ規制部５２がサブシャーシ２０ａと衝突し、ハンマ５が幅方向Ｗにがたつくのを抑制できる。換言すれば、ハンマ５の後方（図４の下方）において、ハンマ５が幅方向Ｗにがたつく程度を小さくできる（Ｘ２＞Ｘ１）。従って、ハンマ５が他の部材と衝突するのを防止できる。
【００４６】
また、軸受部５１の直径を大きくしたり、あるいは、軸受部５１の全周に横揺れ規制部５２に相当する構成を設けたりすることも可能である。しかし、かかる場合には、サブシャーシ２０ａの内面との間の摩擦抵抗が大きくなり、鍵３を押鍵した際の感触が阻害される。これに対し、本実施形態の横揺れ規制部５２は、軸受５１の前方（図４の上方）の一部だけに設けられているので、ハンマ５が幅方向Ｗにがたつく程度を小さくしつつ、鍵３を押鍵した際の感触を良好な状態に維持できる。
【００４７】
尚、本実施形態では、横揺れ規制部５２を軸受５１の前方（図４の上方）の一部だけに設ける場合について説明したが、横揺れ規制部５２とハンマ回動軸２３を挟んだ反対側に設けても良い、かかる場合でも上述したのと同様の効果が得られる。
【００４８】
図１に戻り説明を続ける。ハンマ本体５０には、鍵３の連結突起３６が当接する位置とは反対の面にスイッチ突起５３が下方に向けて突設されている。一方、シャーシ本体２０には、スイッチ突起５３と対向する位置にスイッチ１４が設けられている。
【００４９】
鍵３の押鍵に連動してハンマ５がハンマ回動軸２３を中心に回動すると、ハンマ５のスイッチ突起５３によりスイッチ１４がＯＮされ、鍵３の離鍵に連動して、スイッチ１４がＯＦＦされる。これにより、鍵３の押鍵、離鍵などを検出できる。
【００５０】
上述した通り、本実施形態の電子鍵盤楽器１では、鍵３の後方を覆う上パネル４は、シャーシ上壁２１から鍵３の貫通穴３２ａを通過する後方ガイド２５によって支持されている。即ち、後方ガイド２５は、鍵３が幅方向Ｗにがたつくのを抑制する機能と、上パネル４を支持する機能とを兼用している。よって、かかる機能を有する部材を別々に設けるよりも、上パネル４を支持する位置の自由度が向上する。従って、鍵３が幅方向Ｗにがたつくのを抑制しつつ、上パネル４が撓み難い位置で上パネル４を後方ガイド２５で支持できるし、電子鍵盤楽器１が大型化するのを抑制できる。
【００５１】
次に、図５、図６を参照して、上述した後方ガイド２５によって上パネル４を支持する方法の変形例を説明する。図５（ａ）〜（ｃ）と、図６（ａ）〜（ｃ）との各々は、図２に相当する図であり、図５（ａ）は第１変形例、図５（ｂ）は第２変形例、図５（ｃ）は第３変形例、図６（ａ）は第４変形例、図６（ｂ）は第５変形例、図６（ｃ）は第６変形例を説明するための図である。
【００５２】
第１変形例は、図５（ａ）に示す通り、支柱４１の先端と、後方ガイド２５の先端との間に、基板６と防振材１５とを挟んで後方ガイド２５で上パネル４を支持する方法である。防振材１５は、例えば、ゴムやエラストマーなどの弾性部材からなる弾性体から構成されている。後方ガイド２５の先端は、防振材１５と、基板６とを介して、支柱４１の先端と重畳する位置にある。即ち、後方ガイド２５も、支柱４１も基板６は貫通していない。尚、防振材１５の固定方法は接着剤によるもの、両面テープによるものなどがあり、また、取り付けるのは後方ガイド２５、基板６のいずれか片方のみに張り付け、もしくは、接着されることで固定し、他方はある程度自由に摺動するようにした方が好ましい。
【００５３】
この方法でも、上パネル４は、基板６、防振材１５を介して後方ガイド２５に支持されているので、上記実施形態と同様な効果を奏する。また、第１変形例では、基板６に貫通穴を設ける必要がない分、位置合わせが容易である。更に、後方ガイド２５と、支柱４１との間に防振材１５が設置されているので、鍵３が後方ガイド２５と衝突しても、その振動を防振材１５で吸収できる。よって、かかる衝突の影響で、後方ガイド２５と支柱４１との支持位置がずれたり、異音が発生したりするのを防止できる。
【００５４】
第２変形例は、図５（ｂ）に示す通り、防振材１５を、支柱４１と基板６との間に設けたものである。かかる場合でも、上述した第１変形例と同様な効果がある。尚、防振材１５は、後方ガイド２５と基板６との間と、支柱４１と基板６との間との両方に設けても良い。かかる場合には、鍵３が後方ガイド２５と衝突した場合の振動を、より確実に吸収できる。
【００５５】
第３変形例は、図５（ｃ）に示す通り、防振材１５を設けず、支柱４１の先端と、後方ガイド２５の先端との間に、基板６を挟んで後方ガイド２５で上パネル４を支持する方法である。かかる場合には、基板６に貫通穴を設ける必要がない分、上記実施形態よりも位置合わせが容易である。
【００５６】
第４変形例は、図６（ａ）に示す通り、後方ガイド２５の先端に環状突起２５ｄを設けたものである。即ち、環状突起２５ｄによって、後方ガイド２５の先端に、支柱４１の先端が嵌めこまれる凹部を形成したものである。これにより、鍵３が後方ガイド２５と衝突しても、その振動を環状突起２５ｄで吸収できる。よって、かかる衝突の影響で、後方ガイド２５と支柱４１との支持位置がずれるのを防止できる。
【００５７】
第５変形例は、図６（ｂ）に示す通り、図６（ａ）とは逆に、支柱４１の先端に環状突起４１ｄを設けたものである。即ち、環状突起４１ｄによって、支柱４１の先端に、後方ガイド２５の先端が嵌めこまれる凹部を形成したものである。これにより、鍵３が後方ガイド２５と衝突しても、その振動を環状突起４１ｄで吸収できる。よって、かかる衝突の影響で、後方ガイド２５と支柱４１との支持位置がずれるのを防止できる。
【００５８】
第６変形例は、図６（ｃ）に示す通り、防振材１５の上面には支柱４１の先端が当接し、防振材１５の下面には後方ガイド２５の先端が当接している。後方ガイド２５の先端は、防振材１５の下面うち支柱４１の先端と重畳する位置に当接している。よって、シャーシ上壁２１から上パネル４側に延ばす後方ガイド２５の長さを短くできる。従って、後方ガイド２５の剛性を向上できる。また、鍵３が後方ガイド２５に衝突して、その衝突によって後方ガイド２５が振動しても、その振動を防振材１５で吸収できる。従って、かかる振動によって異音が発生するのを防止できる。
【００５９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６０】
上記実施形態では、後方ガイド２５をシャーシ上壁２１から立設する場合について説明したが、これに限定されない。例えば、シャーシ上壁２１の下方に、後方ガイド２５を立設するための別の新たなシャーシを設けても良いし、既存のシャーシを使用しても良い。かかる場合は、鍵回動軸２４を設けるシャーシと、後方ガイド２５を設けるシャーシとを分離できるので、シャーシにかかる荷重を軽減できる。
【００６１】
上記実施形態では、後方ガイド２５に第１、第２ブラケット２５ｂ、２５ｃを設ける場合について説明したが、これに限定されない。第１、第２ブラケット２５ｂ、２５ｃは必ずしも設けなくともよく、第１、第２ブラケット２５ｂ、２５ｃの少なくも１方を設けるようにしても良い。また、幅方向Ｗと、奥行き方向Ｄとは、別の方向にもブラケットを設けても良い。かかる場合には、ブラケットが延びる方向について鍵のがたつきを効果的に防止できる。
【００６２】
上記実施形態では、図２に示す通り、支柱４１が基板６を貫通する場合について説明したが、これに限定されない。後方ガイド２５が基板６を貫通するように構成しても良い。かかる場合でも、上記実施形態と同様の効果がある。
【００６３】
上記実施形態では、後方ガイド２５の先端と、支柱４１の先端とを当接させる場合について説明したが、例えば、両者を両面テープなどで固定しても良い。かかる場合には、鍵３が後方ガイド２５と衝突しても、かかる衝突の影響で、後方ガイド２５と支柱４１との支持位置がずれるのを防止できるとともに、異音が発生するのを防止することができる。
【００６４】
上記実施形態では、図１（ｂ）に示す通り、支柱４１を奥行き方向Ｄにおいてボス４２の間に挟まれた位置に設ける場合について説明したが、これに限定されない。例えば、支柱４１を前方（図１（ｂ）の右側）のボス４２の位置に設け、かかる位置で後方ガイド２５によって上パネル４を支持するようにしても良い。また、ボス４２に螺着されるビスを皿ネジとし、皿ネジの下方を後方ガイド２５で支持するようにしても良い。この場合には、ボス４２を介して基板６を上パネル４に固定できると共に、ボス４２を介して後方ガイド２５によって上パネル４を支持できる。即ち、支柱４１を省略できる。
【００６５】
上記実施形態では、鍵３毎に後方ガイド２５を設ける場合について説明したが、これに限定されない。例えば、一部の後方ガイド２５には、鍵３のがたつき防止機能と、上パネル４の支持機能とのうち、鍵３のがたつき防止機能だけを持たせるようにしても良い。また、後方ガイド２５の各々は、図１（ａ）に示す通り、幅方向Ｗに一列に並べる必要はない。例えば、黒鍵と、白鍵とで後方ガイド２５の設置位置を奥行き方向Ｄにずらして設けても良い。また、上パネル４が撓み易い位置では、２本以上の後方ガイド２５で上パネル４を支持したり、他の後方ガイドよりも太い後方ガイドで上パネル４を支持したりするようにしても良い。即ち、後方ガイド２５は、上パネル４が極力撓まないような位置に設けることができる。
【符号の説明】
【００６６】
１      電子鍵盤楽器
２      シャーシ
３      鍵
４      上パネル
１５    防振材（弾性部材の一例）
２１    シャーシ上壁（シャーシの一例）
２４    鍵回動軸（回動軸の一例）
２５    後方ガイド
２５ａ  ガイド本体
２５ｂ  第１ブラケット（ブラケットの一例）
３２    上壁
３２ａ  貫通穴
３３    側壁
４１    支柱
【図１】
2016018055.tif 000003
【図２】
2016018055.tif 000004
【図３】
2016018055.tif 000005
【図４】
2016018055.tif 000006
【図５】
2016018055.tif 000007
【図６】
2016018055.tif 000008